【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
医用画像に画像処理を施す画像処理装置と、該画像処理装置から出力された前記医用画像を記録し出力する複数の画像記録装置からなる医用画像処理システムにおいて、
前記画像処理装置は、
前記医用画像に少なくとも階調処理を含む画像処理を施すことにより、診断用画像を作成する診断用画像作成手段と、
前記医用画像を解析することにより、該医用画像に関する診断支援情報を生成する診断支援情報生成手段と、
前記診断支援情報生成手段により生成された診断支援情報を用いて診断支援用画像を作成する診断支援用画像作成手段と、
同一の医用画像から作成された前記診断用画像と前記診断支援用画像とを対応づける識別情報を前記作成した画像に付加する識別情報付加手段と、
前記診断用画像と前記診断支援用画像とを異なる画像記録装置のそれぞれに出力する画像出力手段と、
を備えたことを特徴とする医用画像処理システム。
【請求項２】
前記複数の画像記録装置は、前記診断支援用画像を出力する画像記録装置と前記診断用画像を出力する画像記録装置とを含み、互いに記録特性が異なることを特徴とする請求項１に記載の医用画像処理システム。
【請求項３】
前記複数の画像記録装置は、前記診断支援用画像を出力する画像記録装置と前記診断用画像を出力する画像記録装置とを含み、互いに異なる画質特性の画像を出力することを特徴とする請求項１又は２に記載の医用画像処理システム。
【請求項４】
前記複数の画像記録装置は、前記診断支援用画像を出力する画像記録装置と前記診断用画像を出力する画像記録装置とを含み、互いに使用する記録媒体の質が異なることを特徴とする請求項１〜３の何れか一項に記載の医用画像処理システム。
【請求項５】
前記画像処理装置の画像出力手段は、前記複数の画像記録装置に対応する複数の出力チャンネルを有し、前記診断用画像および前記診断支援用画像を前記複数の出力チャンネルのうちのいずれに画像出力するかを各々独立に選択する出力チャンネル選択手段を備えたことを特徴とする請求項１〜４の何れか一項に記載の医用画像処理システム。
【請求項６】
前記画像処理装置は、前記複数の画像記録装置に対応する画像記録装置情報を保存する画像記録装置情報保存手段を備え、
前記画像処理装置の診断用画像作成手段及び診断支援用画像作成手段は、前記画像記録装置情報保存手段に保存されている画像記録装置情報に基づいて前記診断用画像作成及び前記診断支援用画像作成の条件を決定することを特徴とする請求項１〜５の何れか一項に記載の医用画像処理システム。
【請求項７】
医用画像に画像処理を施す画像処理装置と、該画像処理装置から出力された前記医用画像を記録し出力する装置であって、互いに記録特性が異なる複数種類の記録媒体を備えた画像記録装置と、からなる医用画像処理システムにおいて、
前記画像処理装置は、
前記医用画像に少なくとも階調処理を含む画像処理を施すことにより、診断用画像を作成する診断用画像作成手段と、
前記医用画像を解析することにより、該医用画像に関する診断支援情報を生成する診断支援情報生成手段と、
前記診断支援情報生成手段により生成された診断支援情報を用いて診断支援用画像を作成する診断支援用画像作成手段と、
同一の医用画像から作成された前記診断用画像と前記診断支援用画像とを対応づける識別情報を前記作成した画像に付加する識別情報付加手段と、
前記複数種類の記録媒体の中から前記診断用画像と前記診断支援用画像のそれぞれに対して異なる記録媒体の種類を選定するとともに、前記診断用画像、前記診断支援用画像及び前記選定された記録媒体の種類の情報を前記画像記録装置に出力する画像出力手段と、
を備えたことを特徴とする医用画像処理システム。
【請求項８】
前記画像処理装置の画像出力手段は、前記複数種類の記録媒体に対応する複数の出力チャンネルを有し、前記診断用画像および前記診断支援用画像を前記複数の出力チャンネルのうちのいずれに画像出力するかを各々独立に選択する出力チャンネル選択手段を備えたことを特徴とする請求項７に記載の医用画像処理システム。
【請求項９】
前記画像処理装置は、前記複数種類の記録媒体に対応する記録媒体情報を保存する記録媒体情報保存手段を備え、
前記画像処理装置の診断用画像作成手段及び診断支援用画像作成手段は、前記記録媒体保存手段に保存されている記録媒体情報に基づいて、前記診断用画像作成及び前記診断支援用画像作成の条件を決定することを特徴とする請求項７又は８に記載の医用画像処理システム。
【請求項１０】
前記画像処理装置は、前記診断用画像および前記診断支援用画像を前記複数の画像記録装置のうちの何れかに出力するか否かを各々独立に選択する出力可否選択手段を備えたことを特徴とする請求項１〜９の何れか一項に記載の医用画像処理システム。
【請求項１１】
前記画像処理装置は、前記診断用画像及び診断支援用画像のうちの一方の画像を前記複数の画像記録装置のうちの何れかに出力したか否かを示す情報を、他方の画像に付加する出力情報付加手段を備えたことを特徴とする請求項１〜１０の何れか一項に記載の医用画像処理システム。
【請求項１２】
前記画像処理装置は、
前記診断支援用画像を記憶する診断支援用画像記憶手段と、
前記診断支援用画像の出力指示を入力するための出力指示手段を備え、
前記画像処理装置の画像出力手段は、前記出力指示手段からの入力情報に基づいて、前記診断支援用画像記憶手段から前記診断支援用画像を読み出して前記画像記録装置に出力することを特徴とする請求項１〜１１の何れか一項に記載の医用画像処理システム。
【請求項１３】
前記画像処理装置は、
前記診断支援情報を保存する診断支援情報保存手段と、
前記診断支援用画像の出力指示を入力するための出力指示手段を備え、
前記画像処理装置の診断支援用画像作成手段は、前記出力指示手段からの入力情報に基づいて、前記診断支援情報保存手段から前記診断支援情報を読み出して診断支援用画像を作成し、
前記画像処理装置の画像出力手段は、前記作成された診断支援用画像を前記画像記録装置に出力することを特徴とする請求項１〜１１の何れか一項に記載の医用画像処理システム。
【請求項１４】
前記画像処理装置の診断用画像作成手段は、前記医用画像を解析することにより画像処理条件を決定し、該決定された画像処理条件を用いて前記医用画像に少なくとも階調処理を含む画像処理を施すことにより診断用画像を作成し、
前記画像処理装置の診断支援用画像作成手段は、前記診断用画像作成手段で用いられたのとは異なる画像処理条件を用いて前記医用画像に画像処理を施すとともに、該画像処理を施した画像に前記診断支援情報生成手段により生成された診断支援情報を付加することにより診断支援用画像を作成することを特徴とする請求項１〜１３の何れか一項に記載の医用画像処理システム。
【請求項１５】
前記画像処理装置の診断支援用画像作成手段は、前記医用画像に対応するシェーマ画像を作成し、このシェーマ画像に、前記診断支援情報生成手段により生成された診断支援情報を付加することにより診断支援用画像を作成することを特徴とする請求項１〜１３の何れか一項に記載の医用画像処理システム。
【請求項１６】
前記画像処理装置の診断支援情報生成手段は、前記医用画像を解析することにより異常陰影候補を検出し、検出された異常陰影候補に関する診断支援情報を生成することを特徴とする請求項１〜１５の何れか一項に記載の医用画像処理システム。
【請求項１７】
前記診断支援情報生成手段は、前記医用画像を解析することにより画像計測を行い、計測結果に関する該診断支援情報を生成することを特徴とする請求項１〜１５の何れか一項に記載の医用画像処理システム。
【請求項１８】
医用画像に画像処理を施す画像処理装置と、該画像処理装置から出力された前記医用画像を記録し出力する複数の画像記録装置からなる医用画像処理システムにおける医用画像処理方法において、
医用画像に少なくとも階調処理を含む画像処理を施すことにより、診断用画像を作成する工程と、
前記医用画像を解析することにより、該医用画像に関する診断支援情報を生成する工程と、
前記生成された診断支援情報を用いて診断支援用画像を作成する工程と、
同一の医用画像から作成された前記診断用画像と前記診断支援用画像とを対応づける識別情報を前記作成した画像に付加する工程と、
前記診断用画像と前記診断支援用画像とを異なる画像記録装置のそれぞれに出力する工程と、
を含むことを特徴とする医用画像処理方法。
【請求項１９】
医用画像に画像処理を施す画像処理装置と、該画像処理装置から出力された前記医用画像を記録し出力する装置であって、互いに記録特性が異なる複数種類の記録媒体を備えた画像記録装置と、からなる医用画像処理システムにおける医用画像処理方法において、
前記医用画像に少なくとも階調処理を含む画像処理を施すことにより、診断用画像を作成する工程と、
前記医用画像を解析することにより、該医用画像に関する診断支援情報を生成する工程と、
前記生成された診断支援情報を用いて診断支援用画像を作成する工程と、
同一の医用画像から作成された前記診断用画像と前記診断支援用画像とを対応づける識別情報を前記作成した画像に付加する工程と、
前記複数種類の記録媒体の中から前記診断用画像と前記診断支援用画像のそれぞれに対して異なる記録媒体の種類を選定するとともに、前記診断用画像、前記診断支援用画像及び前記選定された記録媒体の種類の情報を前記画像記録装置に出力する工程と、
を含むことを特徴とする医用画像処理方法。
【請求項２０】
複数の画像記録装置に接続され、医用画像に画像処理を施して前記画像記録装置に出力する画像処理装置に用いられるコンピュータを、
前記医用画像に少なくとも階調処理を含む画像処理を施すことにより、診断用画像を作成する診断用画像作成手段、
前記医用画像を解析することにより、該医用画像に関する診断支援情報を生成する診断支援情報生成手段、
前記診断支援情報生成手段により生成された診断支援情報を用いて診断支援用画像を作成する診断支援用画像作成手段、
同一の医用画像から作成された前記診断用画像と前記診断支援用画像とを対応づける識別情報を前記作成した画像に付加する識別情報付加手段、
前記診断用画像と前記診断支援用画像とを異なる画像記録装置のそれぞれに出力する画像出力手段、
として機能させるためのプログラム。
【請求項２１】
互いに記録特性が異なる複数種類の記録媒体を備えた画像記録装置に接続され、医用画像に画像処理を施して前記画像記録装置に出力する画像処理装置に用いられるコンピュータを、
前記医用画像に少なくとも階調処理を含む画像処理を施すことにより、診断用画像を作成する診断用画像作成手段、
前記医用画像を解析することにより、該医用画像に関する診断支援情報を生成する診断支援情報生成手段、
前記診断支援情報生成手段により生成された診断支援情報を用いて診断支援用画像を作成する診断支援用画像作成手段、
同一の医用画像から作成された前記診断用画像と前記診断支援用画像とを対応づける識別情報を前記作成した画像に付加する識別情報付加手段、
前記複数種類の記録媒体の中から前記診断用画像と前記診断支援用画像のそれぞれに対して異なる記録媒体の種類を選定するとともに、前記診断用画像、前記診断支援用画像及び前記選定された記録媒体の種類の情報を前記画像記録装置に出力する画像出力手段、
として機能させるためのプログラム。
【手続補正２】
【補正対象書類名】明細書
【補正対象項目名】発明の名称
【補正方法】変更
【補正の内容】
【発明の名称】医用画像処理システム、医用画像処理方法及びプログラム
【手続補正３】
【補正対象書類名】明細書
【補正対象項目名】０００１
【補正方法】変更
【補正の内容】
【０００１】
本発明は、医用画像に対し、医師の読影診断の効率化を図るための画像処理を施して画像記録装置からハードコピーとして出力する医用画像処理システム、医用画像処理方法及びプログラムに関する。
【手続補正４】
【補正対象書類名】明細書
【補正対象項目名】０００７
【補正方法】変更
【補正の内容】
【０００７】
本発明の課題は、安価なシステムで、従来の院内作業の流れを変えずに、医師が読影において診断支援情報を容易にかつ迅速に参照及び活用することができ、それにより医師の診断性能及び作業効率を向上することのできる医用画像処理システム、医用画像処理方法及びプログラムを提供することである。
【手続補正５】
【補正対象書類名】明細書
【補正対象項目名】００２５
【補正方法】変更
【補正の内容】
【００２５】
請求項１８に記載の発明は、医用画像に画像処理を施す画像処理装置と、該画像処理装置から出力された前記医用画像を記録し出力する複数の画像記録装置からなる医用画像処理システムにおける医用画像処理方法において、医用画像に少なくとも階調処理を含む画像処理を施すことにより、診断用画像を作成する工程と、前記医用画像を解析することにより、該医用画像に関する診断支援情報を生成する工程と、前記生成された診断支援情報を用いて診断支援用画像を作成する工程と、同一の医用画像から作成された前記診断用画像と前記診断支援用画像とを対応づける識別情報を前記作成した画像に付加する工程と、前記診断用画像と前記診断支援用画像とを異なる画像記録装置のそれぞれに出力する工程と、を含むことを特徴としている。
請求項１９に記載の発明は、医用画像に画像処理を施す画像処理装置と、該画像処理装置から出力された前記医用画像を記録し出力する装置であって、互いに記録特性が異なる複数種類の記録媒体を備えた画像記録装置と、からなる医用画像処理システムにおける医用画像処理方法において、前記画像処理装置は、前記医用画像に少なくとも階調処理を含む画像処理を施すことにより、診断用画像を作成する工程と、前記医用画像を解析することにより、該医用画像に関する診断支援情報を生成する工程と、前記生成された診断支援情報を用いて診断支援用画像を作成する工程と、同一の医用画像から作成された前記診断用画像と前記診断支援用画像とを対応づける識別情報を前記作成した画像に付加する工程と、前記複数種類の記録媒体の中から前記診断用画像と前記診断支援用画像のそれぞれに対して異なる記録媒体の種類を選定するとともに、前記診断用画像、前記診断支援用画像及び前記選定された記録媒体の種類の情報を前記画像記録装置に出力する工程と、を含むことを特徴としている。
【手続補正６】
【補正対象書類名】明細書
【補正対象項目名】００２６
【補正方法】変更
【補正の内容】
【００２６】
請求項２０に記載の発明は、複数の画像記録装置に接続され、医用画像に画像処理を施して前記画像記録装置に出力する画像処理装置に用いられるコンピュータを、前記医用画像に少なくとも階調処理を含む画像処理を施すことにより、診断用画像を作成する診断用画像作成手段、前記医用画像を解析することにより、該医用画像に関する診断支援情報を生成する診断支援情報生成手段、前記診断支援情報生成手段により生成された診断支援情報を用いて診断支援用画像を作成する診断支援用画像作成手段、同一の医用画像から作成された前記診断用画像と前記診断支援用画像とを対応づける識別情報を前記作成した画像に付加する識別情報付加手段、前記診断用画像と前記診断支援用画像とを異なる画像記録装置のそれぞれに出力する画像出力手段、として機能させるためのプログラムであることを特徴としている。
請求項２１に記載の発明は、互いに記録特性が異なる複数種類の記録媒体を備えた画像記録装置に接続され、医用画像に画像処理を施して前記画像記録装置に出力する画像処理装置に用いられるコンピュータを、前記医用画像に少なくとも階調処理を含む画像処理を施すことにより、診断用画像を作成する診断用画像作成手段、前記医用画像を解析することにより、該医用画像に関する診断支援情報を生成する診断支援情報生成手段、前記診断支援情報生成手段により生成された診断支援情報を用いて診断支援用画像を作成する診断支援用画像作成手段、同一の医用画像から作成された前記診断用画像と前記診断支援用画像とを対応づける識別情報を前記作成した画像に付加する識別情報付加手段、前記複数種類の記録媒体の中から前記診断用画像と前記診断支援用画像のそれぞれに対して異なる記録媒体の種類を選定するとともに、前記診断用画像、前記診断支援用画像及び前記選定された記録媒体の種類の情報を前記画像記録装置に出力する画像出力手段、として機能させるためのプログラムであることを特徴としている。
【手続補正７】
【補正対象書類名】明細書
【補正対象項目名】００２７
【補正方法】変更
【補正の内容】
【００２７】
請求項１、１８、２０に記載の発明によれば、医用画像に少なくとも階調処理を含む画像処理を施すことにより診断用画像を作成し、医用画像を解析することにより該医用画像に関する診断支援情報を生成し、この生成された診断支援情報を用いて診断支援用画像を作成し、作成された診断用画像と診断支援用画像とを対応付けるための識別情報をそれぞれの画像に付加して、各画像を異なる画像記録装置のそれぞれに出力する。従って、シャウカステン等の画像観察装置を用いて銀塩フィルム等のハードコピーに出力した診断用画像を読影する際においても、診断支援情報を診断用画像に重ねることにより診断用画像の一部の情報が欠落してしまうことがなく、診断支援情報を容易にかつ迅速に参照及び活用することができるようになる。
【手続補正８】
【補正対象書類名】明細書
【補正対象項目名】００３３
【補正方法】変更
【補正の内容】
【００３３】
請求項７、１９、２１に記載の発明によれば、医用画像に少なくとも階調処理を含む画像処理を施すことにより診断用画像を作成し、医用画像を解析することにより、該医用画像に関する診断支援情報を生成し、この生成された診断支援情報を用いて診断支援用画像を作成し、作成された診断用画像と診断支援用画像とを対応づけるための識別情報をそれぞれの画像に付加し、画像記録装置に備えられた記録特性の異なる複数種類の記録媒体の中から使用する記録媒体を選定して、診断用画像、診断支援用画像及び選定された記録媒体の種類を画像記録装置に出力する。従って、シャウカステン等の画像観察装置を用いて銀塩フィルム等のハードコピーに出力した診断用画像を読影する際においても、診断支援情報を診断用画像に重ねることにより診断用画像の一部の情報が欠落してしまうことがなく、また、各画像に適した記録特性の記録媒体を用いて記録するので、診断支援情報を容易にかつ迅速に参照及び活用することができるようになる。